(57)【要約】【課題】  時系列の測定データ中に、発生した事象の情報を付与することができる波形測定装置を提供する。【解決手段】  測定プローブの出力信号の時間変化の情報を記憶する波形記憶手段を備える波形測定装置であって、発生した事象を識別することが可能な識別名と、該識別名と所定の操作内容とを関連つけて記憶する事象情報記憶手段と、発生が想定される事象の識別名と、該識別名に関連つける所定の操作内容を入力して、事象情報記憶手段に予め記憶しておく入力手段と、測定プローブによる信号測定中に所定の操作を行う操作手段と、操作手段において所定の操作が行われた場合に、操作された操作内容に関連つけられている事象の識別名を事象情報記憶手段から読み出して、この読み出した識別名を出力信号の時間変化の情報に付与して波形記憶手段に記憶するマーク付与手段とを備える。【選択図】    図１
2006133061.tif 000002
【特許請求の範囲】
【請求項１】
測定プローブの出力信号の時間変化の情報を記憶する波形記憶手段を備える波形測定装置であって、
発生した事象を識別することが可能な識別名と、該識別名と所定の操作内容とを関連つけて記憶する事象情報記憶手段と、
発生が想定される事象の識別名と、該識別名に関連つける所定の操作内容を入力して、前記事象情報記憶手段に予め記憶しておく入力手段と、
前記測定プローブによる信号測定中に所定の操作を行う操作手段と、
前記操作手段において所定の操作が行われた場合に、操作された操作内容に関連つけられている事象の識別名を前記事象情報記憶手段から読み出して、この読み出した識別名を前記出力信号の時間変化の情報に付与して前記波形記憶手段に記憶するマーク付与手段と
を備えたことを特徴とする波形測定装置。
【請求項２】
測定プローブの出力信号の時間変化の情報を記憶する波形記憶手段を備える波形測定装置であって、
前記測定プローブによる信号測定中に所定の操作を行う操作手段と、
前記操作手段において所定の操作が行われた場合に、事象の発生を識別可能な情報を前記出力信号の時間変化の情報に付与して前記波形記憶手段に記憶するマーク付与手段と
を備えたことを特徴とする波形測定装置。
【請求項３】
測定プローブの出力信号の時間変化の情報を記憶する波形記憶手段と、発生した事象を識別することが可能な識別名と、該識別名と所定の操作内容とを関連つけて記憶する事象情報記憶手段と、前記測定プローブによる信号測定中に所定の操作を行う操作手段とを備える波形測定装置上において、波形測定処理を実行する波形測定プログラムであって、
発生が想定される事象の識別名と、該識別名に関連つける所定の操作内容を入力して、前記事象情報記憶手段に予め記憶しておく入力処理と、
前記操作手段において所定の操作が行われた場合に、操作された操作内容に関連つけられている事象の識別名を前記事象情報記憶手段から読み出して、この読み出した識別名を前記出力信号の時間変化の情報に付与して前記波形記憶手段に記憶するマーク付与処理と
をコンピュータに行わせることを特徴とする波形測定プログラム。
【請求項４】
測定プローブの出力信号の時間変化の情報を記憶する波形記憶手段と、前記測定プローブによる信号測定中に所定の操作を行う操作手段とを備える波形測定装置上において、波形測定処理を実行する波形測定プログラムであって、
前記操作手段において所定の操作が行われた場合に、事象の発生を識別可能な情報を前記出力信号の時間変化の情報に付与して前記波形記憶手段に記憶するマーク付与処理をコンピュータに行わせることを特徴とする波形測定プログラム。
【発明の詳細な説明】
【技術分野】
【０００１】
本発明は、建築、土木、物理学、その他測定に関わる種々の分野で、測定器から入力される測定信号を集録及び解析・チェックする際に用いて好適な波形測定装置及び波形測定プログラムに関するものであり、建築物内の温度、湿度、電界などの測定、あるいはその他の屋外での同じ様な測定であって、面積的あるいは空間的に広がりを持った測定を行う際に利用するのに適するものである。
【背景技術】
【０００２】
測定器にはさまざまな種類のものはあったが、記録の機能は別に設けることが多かった。この場合には測定したデータを記録しておく作業と、整理する作業と、更に解析する作業とを、測定作業とは別に考慮しなければならなかった。
【０００３】
また、測定器とは別の機器として、磁気テープ、フレキシブルディスク、紙などの媒体を利用するデータレコーダはあったが、通常、記録したデータが個々に何を意味するのかは測定者が個々に記録しなければならなかった。つまり、例えば複数の異なる測定位置（場所）について測定器自体あるいは測定器のプローブを移動させながら測定するような場合、各データがどの測定位置のものなのかを示すデータは、音声によって入力したり、字句によって入力したりされていた。そのため、測定データの記録とそれらの意味を示すデータの記録とのために複数の作業が必要となり、時間にゆとりの有る場合には良いが、急ぐ場合にはいささか作業が煩雑になり、また急ぐ作業を行うことで誤りを生じる恐れも有った。
【０００４】
また、記録したデータに誤りが生じているかを測定現場でチェックするための汎用的な方法は確立されていなかった。そのため、チェック作業における作業性を向上させたり、あるいは誤りを生じないための方法は個々に測定者が考慮しなければならなかった。
【０００５】
また、測定器に記録の機能が伴っているものも有ったが、このようなものでは測定器と記録器が一つで済むので可搬性は優れるが、記録作業に関しては上記の様にデータレコーダと同じような欠点が有った。つまり、記録したデータが個々に何を意味するのかは測定者が個々に記録しなければならないという問題があった。
【０００６】
このような問題を解決するために、（１）データ収集を単純な操作で行える、（２）多次元データでも入力をワンタッチで行える、（３）データを監視しながら入力を行える、（４）各データが常に何処のデータであるかがわかる状態で記録される、（５）収集データを簡単にグラフやコンターに表せる、（６）記録したデータを読みだして確認し修正を行うことができる、（７）データ収集装置は軽く小型で電池で動き、屋外でも自由に使えるようにした測定器用データ収集装置が提案されている（例えば、特許文献１参照）。
【特許文献１】特開２００４−２４５８１９号公報
【発明の開示】
【発明が解決しようとする課題】
【０００７】
ところで、建築物内における磁界の影響等を調査するために、建築物内に測定プローブを設置して、磁界に関するデータを収集する場合、磁界に影響を与える要因を特定する必要がある。
しかしながら、特許文献１に示す測定器用データ収集装置にあっては、得られた測定データが、いつどこで測定されたデータであるかを判別することはできるが、１回の測定中に周囲で発生した事象と測定データの変化とを結び付けることができなかったため、後のデータ解析作業において、測定データの変化が何の影響によるものかを予測することができず、磁界の影響を低減する対策を検討することが困難であるという問題がある。
【０００８】
本発明は、このような事情に鑑みてなされたもので、時系列の測定データ中に、発生した事象を識別することができる事象情報を付与することができる波形測定装置及び波形測定プログラムを提供することを目的とする。
【課題を解決するための手段】
【０００９】
本発明は、測定プローブの出力信号の時間変化の情報を記憶する波形記憶手段を備える波形測定装置であって、発生した事象を識別することが可能な識別名と、該識別名と所定の操作内容とを関連つけて記憶する事象情報記憶手段と、発生が想定される事象の識別名と、該識別名に関連つける所定の操作内容を入力して、前記事象情報記憶手段に予め記憶しておく入力手段と、前記測定プローブによる信号測定中に所定の操作を行う操作手段と、前記操作手段において所定の操作が行われた場合に、操作された操作内容に関連つけられている事象の識別名を前記事象情報記憶手段から読み出して、この読み出した識別名を前記出力信号の時間変化の情報に付与して前記波形記憶手段に記憶するマーク付与手段とを備えたことを特徴とする。
【００１０】
本発明は、測定プローブの出力信号の時間変化の情報を記憶する波形記憶手段を備える波形測定装置であって、前記測定プローブによる信号測定中に所定の操作を行う操作手段と、前記操作手段において所定の操作が行われた場合に、事象の発生を識別可能な情報を前記出力信号の時間変化の情報に付与して前記波形記憶手段に記憶するマーク付与手段と
を備えたことを特徴とする。
【００１１】
本発明は、測定プローブの出力信号の時間変化の情報を記憶する波形記憶手段と、発生した事象を識別することが可能な識別名と、該識別名と所定の操作内容とを関連つけて記憶する事象情報記憶手段と、前記測定プローブによる信号測定中に所定の操作を行う操作手段とを備える波形測定装置上において、波形測定処理を実行する波形測定プログラムであって、発生が想定される事象の識別名と、該識別名に関連つける所定の操作内容を入力して、前記事象情報記憶手段に予め記憶しておく入力処理と、前記操作手段において所定の操作が行われた場合に、操作された操作内容に関連つけられている事象の識別名を前記事象情報記憶手段から読み出して、この読み出した識別名を前記出力信号の時間変化の情報に付与して前記波形記憶手段に記憶するマーク付与処理とをコンピュータに行わせることを特徴とする。
【００１２】
本発明は、測定プローブの出力信号の時間変化の情報を記憶する波形記憶手段と、前記測定プローブによる信号測定中に所定の操作を行う操作手段とを備える波形測定装置上において、波形測定処理を実行する波形測定プログラムであって、前記操作手段において所定の操作が行われた場合に、事象の発生を識別可能な情報を前記出力信号の時間変化の情報に付与して前記波形記憶手段に記憶するマーク付与処理をコンピュータに行わせることを特徴とする。
【発明の効果】
【００１３】
本発明によれば、所定の操作が行われた場合に、操作された操作内容に関連つけられている事象の識別名を読み出して、この読み出した識別名を出力信号の時間変化の情報に付与して記憶するようにして、測定データが変化したタイミングに合わせて、このとき発生した事象の識別名を記憶することができるようにしたため、後のデータ解析作業において、測定データの変化が何の影響によるものかを予測することができるという効果が得られる。これにより、建築物内に影響を与える被測定量による影響を低減する対策を容易に検討することができる。
【発明を実施するための最良の形態】
【００１４】
以下、本発明の一実施形態による波形測定装置を図面を参照して説明する。図１は同実施形態の構成を示すブロック図である。この図において、符号１は、測定した波形データの記憶や表示を行うデータ処理部である。符号１１は、装置全体を統括して制御する制御部である。符号１２は、データ処理部１を駆動するための電源部であり、データ処理部１を移動可能とするためにバッテリで構成する。符号２は、操作者（測定者）によって入力されたデータを制御部１へと入力するものであって、例えばキーボード、マウス、ポインタ、各種スイッチ、タッチパネル等から構成される。この入力部２を用いて、測定したデータに対してマークを挿入するためのマーク入力機能２１と、データを測定する記録時間を設定する記録時間設定機能２２と、データを測定する測定点に関する情報を入力する測定点情報入力機能２３とを実現する。
【００１５】
符号３１は、操作者が測定を指示した時刻における測定値の数値データや、その時刻近傍の複数の測定値の数値データからなる波形データを記憶するための数値／波形記憶部である。符号３２は、測定データ中に挿入するマークに関する情報を記憶するマーク情報記憶部である。数値／波形記憶部３１及びマーク情報記憶部３２は、ハードディスク、光ディスク、磁気光ディスク、半導体メモリ等から構成される。
【００１６】
符号４は、制御部１の制御によって文字や図形を表示する表示部であり、液晶ディスプレイ、ＣＲＴ（陰極線管）等によって構成される。表示部４によって、各測定値を数値表示するための数値表示機能４１と、測定点に関する情報を表示するための測定点情報表示機能４２と、各測定値の時間変化量を示す波形を図形表示するための波形表示機能４３とを実現する。
【００１７】
符号５は、温度、湿度、電界等の測定を行うための測定プローブ５１、測定プローブ５１の出力信号を増幅するアンプ５２、アンプ５２のアナログ出力をデジタル信号に変換するＡ／Ｄ変換器（アナログ−デジタル変換器）５３、図示していないＡ／Ｄ変換器５３と制御部１とのインタフェース等から構成される測定部である。その測定プローブ５１等とインターフェース等とは、制御部１に対して交換可能となっている。ただし、インタフェースは、制御部１に含まれていてもよい。符号５４は、測定部５を駆動するための電源部であり、測定部５を移動可能とするためにバッテリで構成する。
【００１８】
次に、マーク情報を定義して、定義された情報をマーク情報記憶部３２へ記憶する動作を説明する。ここでいうマークとは、発生した事象を識別するための発生事象識別名のことであり、このマークは測定したデータに付与して、数値／波形記憶部３１へ記憶するものである。まず、測定者は、磁界等の測定中に発生が想定される事象の名称の文字列を入力部２より入力する。例えば、測定地域周辺に鉄道や道路などがあるとした場合、これらの影響が考えられるので、「電車（上り）通過」と入力する。続いて、測定者は、この入力した事象の名称を割り当てるキーを選択して押下する。例えば、テンキーの「１」を押下する。これを受けて、制御部１１は、入力された事象の名称の文字列と、押下されたキーの識別コードとを関連つけて、マーク情報記憶部３２へ記憶する。測定者は、この操作を繰り返し行い、複数のマーク情報をマーク情報記憶部３２へ記憶する。ここでは、「電車（下り）通過」「２」キー、「電車（上下）通過」「３」キー、「大型自動車通過」「４」、・・・、「エレベータ稼働」「９」キーがそれぞれ関連つけられてマーク情報記憶部３２へ記憶されたものとする。
【００１９】
図４に、マーク情報記憶部３２のテーブル構造を示す。図４に示すように、マーク情報記憶部３２には、入力された事象名称が「発生事象識別名」として記憶され、押下されたキーのコードが「操作内容」として記憶される。
この定義操作により、データ測定時において、測定者は、データ測定中に発生した事象に応じて、事象名称に関連つけられているキー（キーボード上のテンキー「１」〜「９」）を押下することにより、発生した事象の種類と発生したタイミングを指定する。
なお、事象の名称を割り当てる操作内容は、テンキーに限らず、英字キーやファンクションキー、複数のキーの組み合わせ、さらには、マウスの右ボタン等でもよい。
【００２０】
次に、図２、図３を参照して、図１に示す波形測定装置を使用して磁界を測定し、測定データを記憶する動作を説明する。ここでは、３軸方向（Ｘ、Ｙ、Ｚ）の磁界を測定プローブ５１で測定し、得られた測定データを数値／波形記憶部３１へ記憶するものとして説明する。
まず、測定者は、事前準備として、測定プローブ５１を建築物内に設置し、波形測定のアプリケーションを起動する。これを受けて制御部１１は、図３に示す測定画面を表示部４に表示して、入力部２からの入力待ち状態となる。この測定画面に対して、測定者は、データファイル関連入力欄Ｗ１に、測定によって得られたデータを保存するフォルダ及びファイル名を入力する。そして、測定者は、データ取り込み間隔入力欄Ｗ２に、データ取り込み時間間隔を入力するともに、必要に応じて、入力部２の測定点情報入力機能２３を使用して、測定に関する情報（建築物名、測定点識別名、測定データ識別名等）を入力する。制御部１１は、この入力内容を数値／波形記憶部３１にヘッダ情報として記憶する。この操作により、事前準備が終了したことになる。
【００２１】
次に、制御部１１は、入力部２からの入力を読み込み、測定開始ボタンＢ１０がクリックされる（押される）まで待機する（ステップＳ１、Ｓ２）。そして、測定者が測定開始ボタンＢ１０をクリックすると、制御部１１は、内部タイマから現在時刻の情報を取得して、測定開始時刻出力欄Ｗ３に測定開始時刻を出力するとともに、この測定開始時刻の情報を、数値／波形記憶部３１上のデータファイル（データファイル関連入力欄Ｗ１において入力されたデータファイル）へ記憶する（ステップＳ３）。続いて、制御部１１は、データ取り込み間隔入力欄Ｗ２から入力された時間間隔（この例では、０．１ｓｅｃ）に基づいて、時間間隔タイマを設定する（ステップＳ４）。この時間間隔タイマは、図２に示すステップＳ５〜Ｓ１３の処理をデータ取り込み間隔入力欄Ｗ２から入力された時間間隔毎に実行するための監視タイマであり、入力された時間間隔毎にトリガを出力する。
【００２２】
次に、制御部１１は、データ取り込みタイミングを示す時間間隔タイマのトリガが出力されるまで待機し（ステップＳ５）、データ取り込みタイミングで測定プローブ５１によって測定されたデータを取り込む（ステップＳ６）。制御部１１は、３軸方向の各成分の測定値（Ｘ、Ｙ、Ｚ）と、これらの測定値を２乗平均した算出値（Ｂ）を、数値／波形記憶部３１へ記憶する（ステップＳ７）とともに、測定データの表示欄Ｗ４に値を表示し、波形表示欄Ｗ５にこの値に基づく波形を表示する（ステップＳ８）。
【００２３】
次に、制御部１１は、入力部２からの入力を読み取り（ステップＳ９）、マーク入力機能２１によってマークの入力があったか否かを判定する（ステップＳ１０）。この判定の結果、マーク入力があった場合に制御部１１は、入力部２から入力された操作内容を取得し、マーク情報記憶部３２から、この操作内容に関連つけられた発生事象の識別名を読み出し、この読み出した識別名をマークとして数値／波形記憶部３１へ記憶する（ステップＳ１１）。図５に、数値／波形記憶部３１内のテーブル構造を示す。数値／波形記憶部３１内に記憶される測定データは、測定データ情報と測定条件情報からなるヘッダ情報が先頭に記憶され、その後に各測定毎の測定値（Ｘ、Ｙ、Ｚ）、算出値（Ｂ）及びマークが測定順に記憶される。図６に示す例において、符号Ｄ１、Ｄ２、Ｄ４は、マーク入力が無かった測定データであり、符号Ｄ３は、「電車（下り）通過」のマーク入力がなされた（テンキーの「２」が押された）状態を示している。このように１回の測定動作中にマーク入力操作が行われた場合は、テーブル中の「マーク」の欄に、測定者の操作によって選択された発生事象の識別名が記憶され、マーク入力操作が行われなかった場合には、「マーク」の欄は、空白のままとなる。
【００２４】
次に、制御部１１は、再び入力部２からの入力を読み取り（ステップＳ１２）、測定画面中の測定停止ボタンＢ１１がクリックされた（押された）か否かを判定し（ステップＳ１３）、測定停止ボタンＢ１１がクリックされていなければステップＳ５へ戻り、測定を繰り返す。これにより連続した複数の測定値を得ることができる。一方、測定停止ボタンＢ１１がクリックされた場合、制御部１１は、測定動作を停止し、内部タイマから現在時刻の情報を取得して、測定終了時刻出力欄Ｗ６に測定終了時刻を出力するとともに、この測定終了時刻の情報を、ヘッダ情報として数値／波形記憶部３１へ記憶する（ステップＳ１４）。これにより、数値／波形記憶部３１には、測定条件として、測定開始・終了時刻、データ取り込み時間間隔が記憶されることになり、この後に測定値とマークが測定順に記憶されることになる。
【００２５】
このように、所定の操作が行われた場合に、操作された操作内容に関連つけられている事象の識別名を読み出して、この読み出した識別名を出力信号の時間変化の情報に付与して記憶するようにして、測定データが変化したタイミングに合わせて、このとき発生した事象を記憶することができるようにしたため、後のデータ解析作業において、測定データの変化が何の影響によるものかを予測することができる。これにより、建築物内に影響を与える被測定量による影響を低減する対策を容易に検討することができる。
【００２６】
なお、発生する可能性がある事象の識別名を必要としない場合は、予め決められた識別名（例えば、ａ、ｂ、ｃ等）をマークとして記憶するようにしてもよい。さらに、発生する事象の種類が少なく、発生する事象を区別する必要がない場合は、マーク入力が行われたことを識別可能な情報のみをマークとして記憶するようにしてもよい。
【００２７】
また、マーク入力がなされた場合、図３に示す波形表示欄Ｗ５にマーク入力がなされたタイミングを把握することができるように、波形表示と合わせて、マーク入力を示す記号（例えば、矢印等）を表示するようにしてもよい。
【００２８】
また、図１における処理部の機能を実現するためのプログラムをコンピュータ読み取り可能な記録媒体に記録して、この記録媒体に記録されたプログラムをコンピュータシステムに読み込ませ、実行することにより波形測定処理を実行してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３０】
【図１】本発明の一実施形態の構成を示すブロック図である。
【図２】図１に示す装置の動作を示すフローチャートである。
【図３】測定時に表示される画面の一例を示す説明図である。
【図４】図１に示すマーク情報記憶部３２のテーブル構造を示す説明図である。
【図５】図１に示す数値／波形記憶部３１のテーブル構造を示す説明図である。
【符号の説明】
【００３１】
１・・・データ処理部、１１・・・制御部、１２・・・電源部、２・・・入力部、３１・・・数値／波形記憶部、３２・・・マーク情報記憶部、４・・・表示部、５・・・測定部、５１・・・測定プローブ、５２・・・アンプ、５３・・・Ａ／Ｄ変換部、５４・・・電源部
【図１】
2006133061.tif 000003
【図２】
2006133061.tif 000004
【図３】
2006133061.tif 000005
【図４】
2006133061.tif 000006
【図５】
2006133061.tif 000007